(57)【要約】      （修正有）【課題】リボン片を蝶結びに結んでなる装飾用の蝶結びに適用される緩み止めを提供し、また、蝶結びとこれに適用された前記緩み止めとからなる装飾用の造花を提供する。【解決手段】リボン片を蝶結びに結んでなる装飾用の蝶結び１０の緩み止め２２は、全体に「く」の字形を呈し、蝶結びの両垂れ１８、２０及び結び目１２に対する接着面を有する。装飾用の造花２４は、蝶結びとその両垂れ及び結び目に接着された緩み止めとからなる。【選択図】図３
0003220818.tif 000002
【実用新案登録請求の範囲】
【請求項１】
リボン片を蝶結びに結んでなる、結び目と該結び目を経て伸びる前記リボン片の両端部からなる一対の垂れとを有する装飾用の蝶結びの緩み止めであって、
全体にくの字形を呈し、前記蝶結びの両垂れ及び結び目に対する接着面を有する、緩み止め。
【請求項２】
前記緩み止めは前記蝶結びを構成するリボン片と同様の他のリボン片の一部からなる、請求項１に記載の緩み止め。
【請求項３】
リボン片を蝶結びに結んでなる、結び目と該結び目を経て伸びる前記リボン片の両端部からなる一対の垂れとを有する装飾用の蝶結びと、
前記蝶結びの両垂れ及び前記結び目に接着された、全体にくの字形を呈する緩み止めとからなる、装飾用の造花。
【請求項４】
前記蝶結びはリボン片からなり、また、前記緩み止めは前記リボン片と同様の他のリボン片の一部からなる、請求項３に記載の装飾用の造花。
【考案の詳細な説明】
【技術分野】
【０００１】
本考案は、装飾用の蝶結びに適用される緩み止めと、前記蝶結び及び前記緩み止めからなる装飾用の造花とに関する。
【背景技術】
【０００２】
従来、リボン片で形成された装飾用の造花の緩みを防止し、これにより造花の形態を維持する緩み止めが提案されている。
【先行技術文献】
【特許文献】
【０００３】
【特許文献１】実用新案登録第３１７５１１７号公報
【考案の概要】
【考案が解決しようとする課題】
【０００４】
本考案は、リボン片を蝶結びに結んでなる装飾用の蝶結びに適用される緩み止めを提供する。また、本考案は、前記蝶結びとこれに適用された前記緩み止めとからなる装飾用の造花を提供する。
【課題を解決するための手段】
【０００５】
本考案はリボン片を蝶結びに結んでなる、結び目と該結び目を経て伸びる前記リボン片の両端部からなる一対の垂れとを有する装飾用の蝶結びの緩み止めに係る。前記緩み止めは全体に「く」の字形を呈し、両垂れ及び前記結び目に対する接着面を有する。本考案は、また、装飾用の造花に係り、前記造花は、前記蝶結びの両垂れ及び前記結び目に接着された前記緩み止めとからなる。前記緩み止めは、好ましくは、前記蝶結びを構成するリボン片と同様の他のリボン片の一部からなる。
【０００６】
本考案によれば、前記緩み止めは全体にくの字形を呈することから、これを前記蝶結びの結び目と該結び目に対して「く」の字形に伸びる両垂れとに沿って配置し、これらに接着することができる。この接着により、前記蝶結びの結び目に対する各垂れの相対移動及び該相対移動に伴う前記蝶結びの変形を防止することができる。これにより、前記蝶結びの形態維持を図ることができ、また、形態が維持された前記蝶結びを含む装飾用の造花を提供することができる。
【図面の簡単な説明】
【０００７】
【図１】装飾用の蝶結びをその表面の側から見た斜視図である。
【図２】装飾用の蝶結びをその裏面の側から見た斜視図である。
【図３】装飾用の造花を示す斜視図である。
【図４】緩み止めの底面図である。
【図５】複数の緩み止めの部分平面図である。
【図６】リボン片とこれに取り付けられた装飾用の造花とで装飾された包装の斜視図である。
【考案を実施するための形態】
【０００８】
図１及び図２を参照すると、装飾用の蝶結びが全体に符号１０で示されている。
【０００９】
図示の蝶結び１０は一つのリボン片Ｒ１を蝶結びに結んでなり、結び目１２と該結び目を経て伸びる一対のループ状の羽根１４、１６及び両羽根１４、１６にそれぞれ連なる一対の垂れ１８、２０とを有する。両垂れ１８、２０は、それぞれ、リボン片Ｒ１の両端部からなる。図示のリボン片Ｒ１は合成繊維製の織物からなる。リボン片Ｒ１は、図示の例のほか、例えば合成繊維製の不織布、天然繊維製の織物、合成樹脂製のテープ等からなるものであってもよい。
【００１０】
次に、図３を参照すると、蝶結び１０に適用された緩み止めが全体に符号２２で示され、また、蝶結び１０と緩み止め２２との組み合わせからなる装飾用の造花が全体に符号２４で示されている。
【００１１】
緩み止め２２は全体に「く」の字形を呈し、互いに連なる一片部２２ａ及び他片部２２ｂからなる。図示の例では、一片部２２ａ及び他片部２２ｂが互いに同じ長さを有する。図示の例に代えて、一片部２２ａ及び他片部２２ｂが互いに異なる長さを有するものとすることができる。また、緩み止め２２は、その表面２６及びその裏面２８（図４）のうちの裏面２８が接着面からなる。図示の例において、裏面２８は、緩み止め２２に接着された両面テープ（図示せず）により規定されている。
【００１２】
緩み止め２２は、蝶結び１０の裏面の側において蝶結び１０の結び目１２と該結び目に対して「く」の字形に伸びる両垂れ１８、２０とに沿って配置され、その裏面２８において蝶結び１０の結び目１２及び両垂れ１８、２０に接着されている。この接着により、蝶結び１０の結び目１２に対する各垂れ１８，２０の相対移動と、該相対移動に伴う蝶結び１０の変形、具体的には両羽根１４、１６の変形とが防止される。これにより、蝶結び１０の形態が維持される。また、造花２４における蝶結び１０の形態が維持される。
【００１３】
緩み止め２２は、好ましくは、蝶結び１０を構成するリボン片Ｒ１と同様の他のリボン片Ｒ２、すなわちリボン片Ｒ１と同じ材質及び同じ色彩を有する他のリボン片Ｒ２（図５）の一部からなる。これによれば、蝶結び１０に対して緩み止め２２が比較的目立たないものとすることができる。但し、リボン片Ｒ２は、リボン片Ｒ１と異なる他のリボン片からなるものとすることが可能である。
【００１４】
緩み止め２２の一片部２２ａ及び他片部２２ｂのなす交差角度α（図４）は、好ましくは、蝶結び１０の両垂れ１８、２０のなす交差角度βにほぼ等しい大きさを有する。但し、交差角度αが交差角度βと異なる大きさ有するものすることは可能である。また、好ましくは、緩み止め２２の幅寸法ａが、蝶結び１０を構成するリボン片Ｒ１の幅寸法ｂより小さい。交差角度α及び幅寸法ａのこのような設定（α≒β及びａ＜ｂ）は、緩み止め２２が両垂れ１８、２０の裏に隠れ、目立ちにくい状態となるようにすることを可能にする点において有利である。
【００１５】
図５は、他のリボン片Ｒ２に形成された複数の緩み止め２２を示す。リボン片Ｒ２の一方の片面には両面テープ（図示せず）がその一方の面において接着され、また、前記両面テープの他方の面はこれに接着された剥離紙（図示せず）で覆われている。リボン片Ｒ２には、その他方の片面から前記剥離紙に達する複数の「く」の字形の切り込み３０が設けられている。複数の切り込み３０は、リボン片Ｒ２の長手方向へ互いに等間隔をおいて配置されている。複数の緩み止め２２から切り込み３０に沿ってその一つを引き剥がすことにより、これを使用に供することができる。
【００１６】
図６に示すように、緩み止め２２により形態を保持された蝶結び１０からなる造花２４は、例えば、リボンＲ１、Ｒ２とは異なる別個のリボンＲ３を介して、被装飾物の一つである商品の包装３２に取り付けることができる。リボンＲ３に対する造花２４の取り付けは、例えば他の両面テープ（図示せず）を用いて、造花２４をその緩み止め２２の表面２６において、リボンＲ３に接着することにより行うことができる。
【符号の説明】
【００１７】
１０  蝶結び
１２  結び目
１４、１６  羽根
１８、２０  垂れ
２２  緩み止め
２４  造花
２６、２８  緩み止めの表面及び裏面
３２  包装
Ｒ１、Ｒ２、Ｒ３  リボン
【図１】
0003220818.tif 000003
【図２】
0003220818.tif 000004
【図３】
0003220818.tif 000005
【図４】
0003220818.tif 000006
【図５】
0003220818.tif 000007
【図６】
0003220818.tif 000008